(57)【要約】【課題】プラスチックレンズ成形型枠を洗浄するにあたり、洗浄性能が高く、危険性が低く、ガラス製型枠に対する影響が小さく、なおかつ均一透明であることにより液中で均一な性能を発揮する洗浄剤を提供することである。【解決手段】グリコールエーテル類、４級アンモニウム水酸化物、及び水を含有してなるプラスチックレンズ成形型枠用洗浄剤を提供する。また、グリコールエーテル類を１〜９０重量％、４級アンモニウム水酸化物を１〜２０重量％、水を５〜７０重量％含有するのが好ましい。更に、環状アミド化合物とグリコールエーテル類と４級アンモニウム水酸化物及び水を含有してなるプラスチックレンズ成形型枠用洗浄剤を提供する。また、環状アミド化合物を１〜９０重量％、グリコールエーテル類を１〜９０重量％、４級アンモニウム水酸化物を１〜２０重量％及び水を５〜７０重量％含有するのが好ましい。【選択図】  なし【特許請求の範囲】
【請求項１】
グリコールエーテル類、４級アンモニウム水酸化物、及び水を含有することを特徴とするプラスチックレンズ成形型枠用洗浄剤。
【請求項２】
更に環状アミド化合物を含む請求項１に記載のプラスチックレンズ成形型枠用洗浄剤。
【請求項３】
グリコールエーテル類を１〜９０重量％、４級アンモニウム水酸化物を１〜２０重量％、水を５〜７０重量％含有することを特徴とする請求項１に記載のプラスチックレンズ成形型枠用洗浄剤。
【請求項４】
環状アミド化合物を１〜９０重量％、グリコールエーテル類を１〜９０重量％、４級アンモニウム水酸化物を１〜２０重量％、水を５〜７０重量％含有することを特徴とする請求項２に記載のプラスチックレンズ成形型枠用洗浄剤。
【請求項５】
グリコールエーテル類が、エチレングリコールモノアルキルエーテル、エチレングリコールジアルキルエーテル、ジエチレングリコールモノアルキルエーテル、ジエチレングリコールジアルキルエーテル、トリエチレングリコールモノアルキルエーテル、トリエチレングリコールジアルキルエーテル、プロピレングリコールモノアルキルエーテル、プロピレングリコールジアルキルエーテル、ジプロピレングリコールモノアルキルエーテル、ジプロピレングリコールジアルキルエーテル、トリプロピレングリコールモノアルキルエーテル及びトリプロピレングリコールジアルキルエーテル（これらのグリコールエーテル中のアルキル基は、メチル基、エチル基、プロピル基、ブチル基、フェニル基、ベンジル基を表す。）からなる群から選ばれる少なくとも１種である請求項１〜４のいずれかに記載のプラスチックレンズ成形型枠用洗浄剤。
【請求項６】
４級アンモニウム水酸化物が、テトラアルキルアンモニウム水酸化物である請求項１〜４のいずれかに記載のプラスチックレンズ成形型枠用洗浄剤。
【請求項７】
テトラアルキルアンモニウム水酸化物が、テトラメチルアンモニウム水酸化物である請求項６に記載のプラスチックレンズ成形型枠用洗浄剤。
【請求項８】
環状アミド化合物が、Ｎ−メチル−２−ピロリドン、２−ピロリドンからなる群から選ばれる少なくとも１種である請求項２、４のいずれかに記載のプラスチックレンズ成形型枠用洗浄剤。
【発明の詳細な説明】
【０００１】
【発明の属する技術分野】
本発明は、眼鏡レンズ等のプラスチックレンズ製造工程で使用するガラス製型枠に付着した接着剤やプラスチックレンズ成形用樹脂原料を除去するのに適した洗浄剤に関する。
【０００２】
【従来の技術】
従来、眼鏡レンズ等のプラスチックレンズ製造工程で使用するガラス製型枠には、接着剤やプラスチックレンズ成形用樹脂原料が付着する。接着剤には、液状エポキシ樹脂、α−シアノアクリレート、メチルシアノアクリレート、エチルシアノアクリレート等が使用されている。レンズ成形用樹脂には、各種ジ（メタ）アクリレート類、スチレン系化合物、フマル酸エステル／アリル系モノマー共重合樹脂、ポリカーボネート樹脂等が使用されている。ガラス製型枠に付着した接着剤やプラスチックレンズ成形用樹脂原料を除去する洗浄剤として、塩化メチレンを主成分とする洗浄剤（特許文献１〜３参照）が知られているが、塩化メチレンの人体に対する有害性、地下水汚染等環境に対する悪影響が大きな問題となっており、年々規制が厳しくなっている。
【０００３】
また、水溶性アミド化合物、アルカノールアミン、炭素数が１０以下の芳香族炭化水素を含有する洗浄剤（特許文献４参照）が知られているが、炭素数が１０以下の低沸点の芳香族炭化水素を含有することによって、悪臭により作業環境が悪化し、また、引火点が発現することで危険性が増加するため、使用温度が限定される問題がある。
【０００４】
無機リン酸類、アミン類及びアルコール類を含有する洗浄剤（特許文献５参照）が知られているが、中性であることによって、接着剤やプラスチックレンズ成形用樹脂原料の溶解性に難があり、洗浄力不足の問題が懸念される。
【０００５】
水酸化アルカリ、芳香族系アルコール、アルカノールアミン、グリコール類、及び水を含有する水溶性塗料剥離剤（特許文献６参照）が知られているが、塗装現場で使用される塗装器具、例えば治具、マスキング治具、塗装ブースの内壁、スノコ、スプレーガン、等に付着した塗料を除去するためのもので、塗装器具の材質は、鉄、ステンレス等の金属を対象にしており、ガラスが使われることはない。この水溶性塗料剥離剤に含有している水酸化アルカリとして、水酸化カリウム、水酸化ナトリウムを用いると、ガラス製型枠に影響が出る問題がある。
【０００６】
【特許文献１】
特開昭５８−１１９８２８号公報
【特許文献２】
特開昭６０−１０６８９６号公報
【特許文献３】
特開平９−３２３３２９号公報
【特許文献４】
特開平９−３４８６号公報
【特許文献５】
特開２００２−２７３７３９号公報
【特許文献６】
特開２００２−２７５３９４号公報
【０００７】
【発明が解決しようとする課題】
本発明は、特定成分を併用することにより、洗浄性能が高く、危険性が低く、ガラス製型枠に対する影響が小さく、なおかつ均一透明であることにより液中で均一な性能を発揮する洗浄剤を提供することを目的とする。
【０００８】
【課題を解決するための手段】
本発明者は、上記目的を達成するため、種々検討を行った結果、特定成分を含むプラスチックレンズ成形型枠用洗浄剤が上記目的を達成できることを見出し、本発明を完成するに至った。
【０００９】
即ち、本発明は、グリコールエーテル類、４級アンモニウム水酸化物、及び水を含有してなるプラスチックレンズ成形型枠用洗浄剤を提供する。好ましくは、グリコールエーテル類を１〜９０重量％、４級アンモニウム水酸化物を１〜２０重量％、水を５〜７０重量％含有してなるプラスチックレンズ成形型枠用洗浄剤を提供する。
【００１０】
更に、環状アミド化合物とグリコールエーテル類と４級アンモニウム水酸化物及び水を含有してなるプラスチックレンズ成形型枠用洗浄剤を提供する。好ましくは、環状アミド化合物を１〜９０重量％、グリコールエーテル類を１〜９０重量％、４級アンモニウム水酸化物を１〜２０重量％及び水を５〜７０重量％含有してなるプラスチックレンズ成形型枠用洗浄剤を提供する。
【００１１】
【発明の実施の形態】
本発明に用いるグリコールエーテル類は、接着剤やプラスチックレンズ成形用樹脂原料に対して、浸透して膨潤させるものである。具体的にグリコールエーテル類としては、エチレングリコールモノアルキルエーテル、エチレングリコールジアルキルエーテル、ジエチレングリコールモノアルキルエーテル、ジエチレングリコールジアルキルエーテル、トリエチレングリコールモノアルキルエーテル、トリエチレングリコールジアルキルエーテル、プロピレングリコールモノアルキルエーテル、プロピレングリコールジアルキルエーテル、ジプロピレングリコールモノアルキルエーテル、ジプロピレングリコールジアルキルエーテル、トリプロピレングリコールモノアルキルエーテル、トリプロピレングリコールジアルキルエーテル等が挙げられる。これらのグリコールエーテル中のアルキル基は、メチル基、エチル基、プロピル基、ブチル基、フェニル基、ベンジル基等を表す。グリコールエーテル類として好ましくは、ジエチレングリコールモノアルキルエーテルである。グリコールエーテル類の使用濃度は、プラスチックレンズ成形型枠用洗浄剤全体に対して、一般的には１〜９０重量％であり、好ましくは１０〜７０重量％である。グリコールエーテル類の使用濃度が１〜９０重量％の範囲であると、洗浄性が低下することなく、作業時の臭気も増大することもなく、さらに引火点が発生することもなく、危険性が少ない。
【００１２】
本発明に用いる４級アンモニウム水酸化物は、接着剤やプラスチックレンズ成形用樹脂原料を溶解させるものである。具体的には、テトラアルキルアンモニウム水酸化物が挙げられる。好ましくは、テトラメチルアンモニウム水酸化物である。４級アンモニウム水酸化物の使用濃度は、プラスチックレンズ成形型枠用洗浄剤全体に対して、一般的には１〜２０重量％であり、好ましくは３〜１５重量％である。４級アンモニウム水酸化物の使用濃度が１〜２０重量％の範囲であると、洗浄性は低下しない。
【００１３】
引火点が発生しないための水の使用濃度は、プラスチックレンズ成形型枠用洗浄剤全体に対して、５〜７０重量％であり、５重量％未満では引火点が発生し、消防法上危険物に該当し、７０重量％を超えると洗浄性能が低下する。
【００１４】
上記成分のグリコールエーテル類、４級アンモニウム水酸化物、及び水を含むプラスチックレンズ成形型枠用洗浄剤に、更に環状アミド化合物を配合することにより、プラスチックレンズ成形型枠の洗浄性をより向上できる。環状アミド化合物は、接着剤やプラスチックレンズ成形用樹脂原料に対して、浸透して膨潤させるものである。具体的に環状アミド化合物としては、Ｎ−メチル−２−ピロリドン、２−ピロリドン等が挙げられる。好ましくは、Ｎ−メチル−２−ピロリドンである。
【００１５】
プラスチックレンズ成形型枠用洗浄剤における環状アミド化合物とグリコールエーテル類と４級アンモニウム水酸化物及び水の含有量は、次の通りである。環状アミド化合物の使用濃度は、プラスチックレンズ成形型枠用洗浄剤全体に対して、一般的には１〜９０重量％であり、好ましくは１０〜７０重量％である。環状アミド化合物の使用濃度が１〜９０重量％の範囲であると、洗浄性が低下することなく、作業時の臭気も増大することもなく、さらに引火点が発生することもなく、危険性が少ない。
【００１６】
グリコールエーテル類の使用濃度は、プラスチックレンズ成形型枠用洗浄剤全体に対して、一般的には１〜９０重量％であり、好ましくは１０〜７０重量％である。グリコールエーテル類の使用濃度が１〜９０重量％の範囲であると、洗浄性が低下することなく、作業時の臭気も増大することもなく、さらに引火点が発生することもなく、危険性が少ない。
【００１７】
４級アンモニウム水酸化物の使用濃度は、プラスチックレンズ成形型枠用洗浄剤全体に対して、一般的には１〜２０重量％であり、好ましくは３〜１５重量％である。４級アンモニウム水酸化物の使用濃度が１〜２０重量％の範囲であると、洗浄性は低下しない。
【００１８】
引火点が発生しないための水の使用濃度は、プラスチックレンズ成形型枠用洗浄剤全体に対して、５〜７０重量％であり、５重量％未満では引火点が発生し、消防法上危険物に該当し、７０重量％を超えると洗浄性能が低下する。
【００１９】
本発明によるプラスチックレンズ成形型枠用洗浄剤に、必要に応じて、ベンジルアルコール、フェネチルアルコール、等の一価アルコール、及びエチレングリコール、ジエチレングリコール、グリセリン等の多価アルコールを配合することができる。さらに、本洗浄剤に、芳香族及び脂肪族炭化水素系界面活性剤、フッ素原子含有界面活性剤、各種乳化分散剤、各種キレート剤、等を添加することができる。
【００２０】
使用温度は、一般には３０℃〜８０℃で使用されるが、要求される性能に応じて適宜温度を設定すればよい。
【００２１】
【実施例】
以下、実施例を用いて本発明を説明するが、本発明はこれらの実施例に限定されるものではない。
【００２２】
［実施例１〜４］
表１に示すプラスチックレンズ成形型枠用洗浄剤を調製し、次に示す評価方法により洗浄性能等を評価した。結果を表２に示した。
【００２３】
性能の評価方法
▲１▼洗浄性能評価方法；下記の条件で洗浄後のガラス製型枠に付着した樹脂の溶解性を目視で確認
洗浄条件；洗浄液温度７０℃、洗浄時間３分、２８ｋＨｚ超音波洗浄
洗浄評価基準；  ○：汚れを１００％除去  △：汚れを９０〜９５％除去  ×：汚れの除去率５０％以下
▲２▼洗浄液の安定性評価方法；室温における状態を目視で確認
洗浄液の安定性評価基準；  ○：３ヶ月間均一透明  ×：１日で結晶析出
▲３▼引火点測定；開放式（※１）あるいはタグ密閉式（※２）で引火点を測定
▲４▼ガラス製型枠への影響性評価方法；▲１▼の洗浄性能評価時に使用したガラス製型枠への影響性を顕微鏡で観察
ガラス製型枠への影響性評価基準；  ○：影響なし  ×：侵食あり
【００２４】
［比較例５〜９］
表１に示すプラスチックレンズ成形型枠用洗浄剤を調製し、実施例と同様に性能評価を行った。結果を表２に示した。
【００２５】
【表１】
2004284106.tif 000002
【００２６】
【表２】
2004284106.tif 000003
【００２７】
【発明の効果】
本発明のプラスチックレンズ成形型枠用洗浄剤は、特定のグリコールエーテル類、４級アンモニウム水酸化物を水と可溶化することにより、消防法上の危険物に該当することなく、ガラス製型枠に対する影響が小さく、なおかつ均一透明であることにより液中で均一な高い洗浄性能を有する。